(57)【要約】【課題】  ユーザが所望の文書情報を容易に選択して表示することができるように煩雑な操作作業を要することなく文書情報を管理することを実現する。【解決手段】  画面２１に文書を表示する文書表示装置２０に自己に加えられた動きを検出するセンサ２４を設け、文書が画面２１に表示されている状態でセンサ２４により検出された動き情報を当該画面表示されている文書の文書情報に対応付けて記憶する。そして、このような対応付け記録がなされた状態では、文書表示装置２０に動きが加えられると、対応情報を参照して、センサ２４により検出された動き情報に対応する文書情報を検索し、検索された文書情報に基づいて画面２１に文書を表示する。【選択図】  図１
2006302177.tif 000002
【特許請求の範囲】
【請求項１】
文書情報に基づいて画面に文書を表示する文書表示装置において、
文書表示装置に加えられた動きを検出するセンサと、
画面表示する文書の文書情報を保持する文書情報記憶手段と、
文書が画面に表示されている状態でセンサにより検出された動き情報を、当該画面表示されている文書の文書情報に対応付けて記憶する対応情報処理手段と、
を備えたことを特徴とする文書表示装置。
【請求項２】
文書情報に基づいて画面に文書を表示する文書表示装置において、
文書表示装置に加えられた動きを検出するセンサと、
画面表示する文書の文書情報を保持する文書情報記憶手段と、
文書情報に対応付けられた動き情報を保持する対応情報処理手段と
対応情報処理手段を参照して、センサにより検出された動き情報に対応する文書情報を文書情報記憶手段から検索する検索手段と、
検索手段が検索した文書情報に基づいて画面に文書を表示する表示手段と、
を備えたことを特徴とする文書表示装置。
【請求項３】
文書情報に基づいて画面に文書を表示する文書表示装置において、
文書表示装置に加えられた動きを検出するセンサと、
画面表示する文書の文書情報を保持する文書情報記憶手段と、
文書が画面に表示されている状態でセンサにより検出された動き情報を、当該画面表示されている文書の文書情報に対応付けて記憶する対応情報処理手段と、
対応情報処理手段を参照して、センサにより検出された動き情報に対応する文書情報を文書情報記憶手段から検索する検索手段と、
検索手段が検索した文書情報に基づいて画面に文書を表示する表示手段と、
を備えたことを特徴とする文書表示装置。
【請求項４】
請求項１に記載の文書表示装置において、
ユーザ識別情報を入力するユーザ情報入力手段を更に備え、
前記対応情報処理手段は、入力されたユーザ識別情報と動き情報とを文書情報に対応付けて記憶することを特徴とする文書表示装置。
【請求項５】
請求項３に記載の文書表示装置において、
ユーザ識別情報を入力するユーザ情報入力手段を更に備え、
前記対応情報処理手段は、入力されたユーザ識別情報と動き情報とを文書情報に対応付けて記憶し、
前記検索手段は、対応情報処理手段を参照して、センサにより検出された動き情報及び入力されたユーザ識別情報に対応する文書情報を文書情報記憶手段から検索することを特徴とする文書表示装置。
【請求項６】
請求項１に記載の文書表示装置において、
文書表示装置が存する場所情報を入力する場所情報入力手段を更に備え、
前記対応情報処理手段は、入力された場所情報と動き情報とを文書情報に対応付けて記憶することを特徴とする文書表示装置。
【請求項７】
請求項３に記載の文書表示装置において、
文書表示装置が存する場所情報を入力する場所情報入力手段を更に備え、
前記対応情報処理手段は、入力された場所情報と動き情報とを文書情報に対応付けて記憶し、
前記検索手段は、対応情報処理手段を参照して、センサにより検出された動き情報及び入力された場所情報に対応する文書情報を文書情報記憶手段から検索することを特徴とする文書表示装置。
【請求項８】
請求項１乃至請求項７のいずれか１項に記載の文書表示装置において、
文書画像を無電源状態で表示保持する表示部を有し、柔軟な薄型の電子ペーパであることを特徴とする文書表示装置。
【請求項９】
文書画像を表示保持する文書表示体と、文書表示体に加えられた動きを検出するセンサ装置と、文書情報を管理するサーバとを備えた文書処理システムにおいて、
センサ装置は、
文書画像を表示保持する文書表示体に加えられた動きを検出するセンサと、
センサにより検出された動き情報の送信を行う通信手段と、を備え、
サーバは、
文書情報を保持する文書情報記憶手段と、
文書表示装置から受信した動き情報を、当該文書表示体に表示保持されている文書画像の文  書情報に対応付けて記憶する対応情報処理手段と、
文書表示装置からの動き情報の受信を行う通信手段と、を備えたことを特徴とする文書処理システム。
【請求項１０】
文書画像を表示保持する文書表示体と、文書表示体に加えられた動きを検出するセンサ装置と、文書情報を管理するサーバとを備えた文書処理システムにおいて、
センサ装置は、
文書画像を表示保持する文書表示体に加えられた動きを検出するセンサと、
センサにより検出された動き情報の送信を行う通信手段と、を備え、
サーバは、
文書情報を保持する文書情報記憶手段と、
文書情報に対応付けられた動き情報を保持する対応情報処理手段と、
センサ装置からの動き情報の受信を行う通信手段と、
対応情報処理手段を参照して、センサ装置により検出された動き情報に対応する文書情報を文書情報記憶手段から検索する検索手段と、を備えたことを特徴とする文書処理システム。
【請求項１１】
文書情報に基づく文書画像を画面に表示する文書表示装置と、文書情報を管理するサーバとを備えた文書処理システムにおいて、
文書表示装置は、
サーバから受信した文書画像を表示する画面と、
文書画像が画面に表示されている状態で文書表示装置に加えられた動きを検出するセンサと、
サーバからの文書画像の受信及びセンサにより検出された動き情報の送信を行う通信手段と、を備え、
サーバは、
文書情報を保持する文書情報記憶手段と、
文書情報に基づいて文書画像を生成する画像生成手段と、
文書表示装置から受信した動き情報を、当該文書表示装置に画面表示されている文書画像の文書情報に対応付けて記憶する対応情報処理手段と、
文書表示装置からの動き情報の受信及び文書画像の送信を行う通信手段と、を備えたことを特徴とする文書処理システム。
【請求項１２】
文書情報に基づく文書画像を画面に表示する文書表示装置と、文書情報を管理するサーバとを備えた文書処理システムにおいて、
文書表示装置は、
サーバから受信した文書画像を表示する画面と、
文書表示装置に加えられた動きを検出するセンサと、
サーバからの文書画像の受信及びセンサにより検出された動き情報の送信を行う通信手段と、を備え、
サーバは、
文書情報を保持する文書情報記憶手段と、
文書情報に基づいて文書画像を生成する画像生成手段と、
文書情報に対応付けられた動き情報を保持する対応情報処理手段と、
対応情報処理手段を参照して、文書表示装置から受信した動き情報に対応する文書情報を文書情報記憶手段から検索する検索手段と、
検索された文書情報に基づいて文書画像を生成する画像生成手段と、
文書表示装置からの動き情報の受信及び生成された文書画像の送信を行う通信手段と、を備えたことを特徴とする文書処理システム。
【請求項１３】
文書情報に基づく文書画像を画面に表示する文書表示装置と、文書情報を管理するサーバとを備えた文書処理システムにおいて、
文書表示装置は、
文書表示装置に加えられた動きを検出するセンサと、
画面表示する文書の文書情報を保持する文書情報記憶手段と、
文書が画面に表示されている状態でセンサにより検出された動き情報及び当該文書情報の識別情報の送信を行う通信手段と、
サーバは、
文書情報を保持する文書情報記憶手段と、
文書表示装置から受信した動き情報を、当該文書表示装置に画面表示されている文書画像の文書情報に対応付けて記憶する対応情報処理手段と、
文書表示装置からの動き情報及び文書識別情報の受信を行う通信手段と、を備えたことを特徴とする文書処理システム。
【請求項１４】
文書情報に基づく文書画像を画面に表示する文書表示装置と、文書情報を管理するサーバとを備えた文書処理システムにおいて、
文書表示装置は、
サーバから受信した文書情報に基づく文書を画面表示する表示処理手段と、
文書表示装置に加えられた動きを検出するセンサと、
サーバからの文書情報の受信及びセンサにより検出された動き情報の送信を行う通信手段と、を備え、
サーバは、
文書情報を保持する文書情報記憶手段と、
文書情報に対応付けられた動き情報を保持する対応情報処理手段と、
対応情報処理手段を参照して、文書表示装置から受信した動き情報に対応する文書情報を文書情報記憶手段から検索する検索手段と、
文書表示装置からの動き情報の受信及び検索された文書情報の送信を行う通信手段と、を備えたことを特徴とする文書処理システム。
【請求項１５】
請求項１１又は請求項１３に記載の文書処理システムにおいて、
文書表示装置は、ユーザ識別情報を入力するユーザ情報入力手段を更に備え、
前記通信手段は、入力されたユーザ識別情報をサーバへ送信し、
前記対応情報処理手段は、受信したユーザ識別情報と動き情報とを文書情報に対応付けて記憶することを特徴とする文書処理システム。
【請求項１６】
請求項１２又は請求項１４に記載の文書処理システムにおいて、
文書表示装置は、ユーザ識別情報を入力するユーザ情報入力手段を更に備え、
前記通信手段は、入力されたユーザ識別情報をサーバへ送信し、
前記対応情報処理手段は、受信したユーザ識別情報と動き情報とを文書情報に対応付けて保持しており、
前記検索手段は、対応情報処理手段を参照して、受信した動き情報及びユーザ識別情報に対応する文書情報を文書情報記憶手段から検索することを特徴とする文書処理システム。
【請求項１７】
請求項１１又は請求項１３に記載の文書処理システムにおいて、
文書表示装置は、文書表示装置が存する場所情報を入力する場所情報入力手段を更に備え、
前記通信手段は、入力された場所情報をサーバへ送信し、
前記対応情報処理手段は、受信した場所情報と動き情報とを文書情報に対応付けて記憶することを特徴とする文書処理システム。
【請求項１８】
請求項１２又は請求項１４に記載の文書処理システムにおいて、
文書表示装置は、文書表示装置が存する場所情報を入力する場所情報入力手段を更に備え、
前記通信手段は、入力された場所情報をサーバへ送信し、
前記対応情報処理手段は、受信した場所情報と動き情報とを文書情報に対応付けて保持しており、
前記検索手段は、対応情報処理手段を参照して、受信した動き情報及び場所情報に対応する文書情報を文書情報記憶手段から検索することを特徴とする文書処理システム。
【請求項１９】
請求項１１乃至請求項１８のいずれか１項に記載の文書処理システムにおいて、
文書表示装置は、文書画像を無電源状態で表示保持する表示部を有し、柔軟な薄型の電子ペーパであることを特徴とする文書処理システム。
【請求項２０】
文書情報に基づいて画面に文書を表示する文書表示装置をコンピュータにより構成するプログラムであって、
文書が画面に表示されている状態で文書表示装置に加えられた動きを検出して、当該動き情報を、当該画面表示されている文書の文書情報に対応付けて記憶する機能を、コンピュータに構成することを特徴とするプログラム。
【請求項２１】
文書情報に基づいて画面に文書を表示する文書表示装置をコンピュータにより構成するプログラムであって、
文書表示装置に加えられた動きを検出し、文書情報に対応付けられた動き情報を保持した対応情報を参照して、検出された動き情報に対応する文書情報を文書情報記憶手段から検索する機能と、
検索された文書情報に基づいて画面に文書を表示する機能と、コンピュータに構成することを特徴とするプログラム。
【請求項２２】
自己に加えられた動きを検出するセンサを備え、文書情報に基づいて画面に文書を表示する文書表示装置が行う方法であって、
文書が画面に表示されている状態でセンサにより検出された動き情報を、当該画面表示されている文書の文書情報に対応付けて記憶することを特徴とする文書処理方法。
【請求項２３】
自己に加えられた動きを検出するセンサと、文書情報に対応付けられた動き情報を保持する対応情報とを備え、文書情報に基づいて画面に文書を表示する文書表示装置が行う方法であって、
対応情報を参照して、センサにより検出された動き情報に対応する文書情報を検索し、検索された文書情報に基づいて画面に文書を表示することを特徴とする文書処理方法。
【請求項２４】
センサが、文書画像を表示保持する文書表示体に加えられた動きを検出し、
サーバが、センサにより検出された動き情報を受信し、受信した動き情報を当該文書表示体に表示保持されている文書画像の文書情報に対応付けて記憶することを特徴とする文書処理方法。
【請求項２５】
センサが、文書画像を表示保持する文書表示体に加えられた動きを検出し、
サーバが、センサにより検出された動き情報を受信し、文書情報と動き情報とを対応付けた対応情報を参照して、受信した動き情報に対応する文書情報を検索することを特徴とする文書処理方法。
【請求項２６】
文書情報に基づく文書画像を画面に表示する文書表示装置と、文書情報を管理するサーバとが行う文書処理方法であって、
文書表示装置が、サーバから受信した文書画像を画面に表示し、文書画像が画面に表示されている状態で自己に加えられた動きを検出し、検出した動き情報をサーバに送信し、
サーバが、文書表示装置から受信した動き情報を当該文書表示装置に画面表示されている文書画像の文書情報に対応付けて記憶することを特徴とする文書処理方法。
【請求項２７】
文書情報に基づく文書画像を画面に表示する文書表示装置と、文書情報を管理するサーバとが行う文書処理方法であって、
文書表示装置が、自己に加えられた動きを検出して、検出した動き情報をサーバに送信し、
サーバが、文書情報に動き情報を対応付けた対応情報を参照して、文書表示装置から受信した動き情報に対応する文書情報を検索し、検索された文書情報に基づいて文書画像を生成して文書表示装置に送信し、
文書表示装置が、サーバから受信した文書画像を画面表示することを特徴とする文書処理方法。
【請求項２８】
文書情報に基づく文書画像を画面に表示する文書表示装置と、文書情報を管理するサーバとが行う文書処理方法であって、
文書表示装置が、文書情報に基づいて文書を画面に表示している状態で自己に加えられた動きを検出し、検出した動き情報及び当該文書情報の識別情報をサーバに送信し、
サーバが、文書表示装置から受信した動き情報を当該文書表示装置に画面表示されている文書の文書情報に対応付けて記憶することを特徴とする文書処理方法。
【請求項２９】
文書情報に基づく文書画像を画面に表示する文書表示装置と、文書情報を管理するサーバとが行う文書処理方法であって、
文書表示装置が、自己に加えられた動きを検出し、検出した動き情報をサーバに送信し、
サーバが、文書情報に動き情報を対応付けた対応情報を参照して、文書表示装置から受信した動き情報に対応する文書情報を検索し、検索された文書情報を文書表示装置に送信し、
文書表示装置が、サーバから受信した文書情報に基づいて文書を画面表示することを特徴とする文書処理方法。
【発明の詳細な説明】
【技術分野】
【０００１】
本発明は、文書表示装置等の文書表示体に表示する文書の電子データ（文書情報、文書画像等）と当該文書表示体に加えられた動きの情報とを対応付けて管理し、文書表示体に動きを加えることで対応する文書を表示出力することを可能にする技術に関する。
【背景技術】
【０００２】
コンピュータ技術の発展により、文字、図形、画像等といった種々な種類のメディアデータを用いて文書が作成されており、このように構成された文書情報（電子データ）は表示装置により画面表示したり、用紙に印刷したりといった方法でユーザの閲覧に供されている。
このように文書情報は容易に作成することができ、また、電子データとしてメモリにコンパクトに格納して保持することができる利点があるが、その反面、ユーザが、文書情報から即座にどのような内容の文書であるかを判別することが困難であり、多数の文書情報中から所望の文書を選び出して即座に閲覧することが困難であった。
【０００３】
多数の文書情報中から所望の文書を選び出す作業を容易化するため、文書情報に文書名、作成者、更新時間などのテキスト情報からなる属性情報を付加することが行われており、ユーザが属性情報を参照することで所望の文書を選択して閲覧できるようにしている。
しかしながら、文書情報に属性情報を付加する方法は、各文書情報に対して、利用者がテキスト情報からなる属性情報をペンデバイスやキーボードなどから明示的に入力したり、メニューから選択したりする煩雑な設定作業が必要であった。
【０００４】
画像表示装置に設けられた限られた大きさの画面によって大きな表示対象物の全範囲を表示することを可能にするため、画像表示装置に加速度センサを設け、加速度センサで検出した移動や回転動作に応じて、画像表示装置の画面に表示する表示対象物を平行移動させたり縮小／拡大させる発明が知られている（特許文献１参照）。
画像表示装置に設けられた画面によって立体的な表示対象物を視点を変えて表示することを可能にするため、画像表示装置に動きを検出するセンサを設け、センサで検出した動作に応じて、表示対象物を画像表示装置の画面に射影する位置を変更する発明が知られている（特許文献２参照）。
携帯電話機が存する位置の情報に応じてサーバが地図情報を提供して、携帯電話機によって位置情報に応じた情報を表示することができる発明が知られている（特許文献３参照）。
【特許文献１】特開２００４‐２７１６７１号公報
【特許文献２】特開２００４‐３０９９４７号公報
【特許文献３】特開２００４‐３６３７４１号公報
【発明の開示】
【発明が解決しようとする課題】
【０００５】
上記のように文書情報を、ユーザが所望の文書情報を容易に選択することができるように文書情報を管理すること、更には、ユーザが所望の文書情報に基づいて文書を容易に閲覧することができるようにすることが要求されている。
なお、上記特許文献に記載された発明は、装置の動きを検出して同じ表示対象物の表示範囲を変更するものであり、多数の文書情報の管理や所望の文書情報を選択して表示するものとは全く異なるものである。
【０００６】
本発明は上記従来の事情に鑑みなされたものであり、ユーザが文書表示体（文書表示装置）に加えた動作をキーとして文書情報を管理することを目的としている。
また、本発明は上記従来の事情に鑑みなされたものであり、ユーザが文書表示体（文書表示装置）に加えた動作をキーとして所望の文書情報を閲覧できるようにすることを目的としている。
【０００７】
また、本発明は上記従来の事情に鑑みなされたものであり、ユーザが所望の文書情報を容易に選択することができるように煩雑な操作作業を要することなく文書情報を管理することを目的としている。
また、本発明は上記従来の事情に鑑みなされたものであり、煩雑な操作作業を要することなくユーザが所望の文書情報を容易に閲覧することができるようにすることを目的としている。
【０００８】
また、本発明は上記従来の事情に鑑みなされたものであり、ユーザが文書を明示的に特定するテキスト情報（文書名、作成者、更新時間など）を入力する操作を必要とせずに、文書表示体に対する動きを検知し、その動き情報を文書情報に対応づけることができ、また、ユーザが文書表示体に動きを与えることで、当該動き情報に対応づけた文書を簡単に呼び出して閲覧すことができるようにすることを目的としている。
【課題を解決するための手段】
【０００９】
上記目的を達成する本発明は、文書表示装置、文書処理システム、文書処理方法、文書処理プログラムといった種々な態様で実現される。
【００１０】
本発明の一態様である文書表示装置（図２の実施例参照）では、文書情報に基づいて画面に文書を表示する文書表示装置が、自己に加えられた動きを検出するセンサを備え、文書が画面に表示されている状態でセンサにより検出された動き情報を当該画面表示されている文書の文書情報に対応付けて記憶する。
これによって、ユーザが叩く、振る、回転させるなどといった簡単な操作で文書表示装置に動きを与えるだけで、当該動き情報と当該画面表示されている文書の文書情報とが対応付けて管理されるため、当該動き操作をキーとして文書情報を呼び出すことが可能となる。
【００１１】
また、本発明の一態様である文書表示装置（図２の実施例参照）では、文書情報に基づいて画面に文書を表示する文書表示装置が、自己に加えられた動きを検出するセンサと、上記のように文書情報に対応付けられた動き情報を保持する対応情報とを備え、対応情報を参照して、センサにより検出された動き情報に対応する文書情報を検索し、検索された文書情報に基づいて画面に文書を表示する。
これによって、ユーザが上記のような簡単な操作で文書表示装置に動きを与えるだけで、当該動き情報に対応付けられている文書情報が呼び出されて文書が画面表示される。
【００１２】
本発明の一態様である文書処理システム（図８の実施例参照）では、文書表示体として、文書情報（電子データ）に基づいて文書画像を生成して画面表示保持する機能或いは文書画像（電子データ）に基づいて当該文書画像を画面表示して保持する機能を備えた文書表示装置の他に、文書画像を印刷した印刷紙も用いることができる。この態様の文書処理システムでは、文書表示装置に設けたセンサ、或いは、文書表示装置や印刷紙の動きを検出できるようにこれらとは別に設定したセンサ（例えば、カメラによる動き検出センサ装置）が文書画像を表示保持する文書表示体に加えられた動きを検出して送信し、サーバが、センサにより検出された動き情報を受信し、受信した動き情報を当該文書表示体に表示保持されている文書画像の文書情報に対応付けて記憶する。
これによって、ユーザが上記のような簡単な操作で文書表示装置や印刷紙に動きを与えるだけで、当該動き情報と当該表示保持されている文書の文書情報とがサーバによって対応付けて管理されるため、当該動き操作をキーとして文書情報を呼び出すことが可能となる。
【００１３】
なお、文書表示装置として、文書画像を無電源状態で表示保持する表示部を有し、柔軟な薄型の電子ペーパを用いるのが好ましい。
【００１４】
本発明の一態様である文書処理システム（図８の実施例参照）では、文書表示装置に設けたセンサ、或いは、文書表示装置や印刷紙の動きを検出できるようにこれらとは別に設定したセンサ（例えば、カメラによる動き検出センサ装置）が文書表示体に加えられた動きを検出して送信し、サーバが、センサにより検出された動き情報を受信し、文書情報と動き情報とを対応付けた対応情報を参照して、受信した動き情報に対応する文書情報を検索する。
これによって、ユーザが上記のような簡単な操作で文書表示装置に動きを与えるだけで、当該動き情報に対応付けられている文書情報が呼び出されて、該当する文書の画面表示や文書の印刷出力が可能となる。
【００１５】
本発明の一態様である文書処理システム（図６の実施例参照）では、文書情報に基づく文書画像を画面に表示する文書表示装置と、文書情報を管理するサーバとを備え、文書表示装置には文書画像（電子データ）がサーバから提供されるシンクライアント形式である。この態様の文書処理システムでは、文書表示装置が、サーバから受信した文書画像を画面に表示し、文書画像が画面に表示されている状態で自己に加えられた動きをセンサで検出して、検出した動き情報をサーバに送信し、サーバが、文書表示装置から受信した動き情報を当該文書表示装置に画面表示されている文書画像の文書情報に対応付けて記憶する。
これによって、ユーザが上記のような簡単な操作で文書表示装置に動きを与えるだけで、当該動き情報と当該表示保持されている文書の文書情報とがサーバによって対応付けて管理されるため、当該動き操作をキーとして文書情報を呼び出して、サーバから該当する文書画像を取得して画面表示することが可能となる。
【００１６】
本発明の一態様である文書処理システム（図６の実施例参照）では、文書情報に基づく文書画像を画面に表示する文書表示装置と、文書情報を管理するサーバとを備え、文書表示装置には文書画像がサーバから提供される。この態様の文書処理システムでは、文書表示装置が、自己に加えられた動きをセンサで検出して、検出した動き情報をサーバに送信し、サーバが、文書情報に動き情報を対応付けた対応情報を参照して、文書表示装置から受信した動き情報に対応する文書情報を検索し、検索された文書情報に基づいて文書画像を生成して文書表示装置に送信し、文書表示装置が、サーバから受信した文書画像を画面表示する。
これによって、ユーザが上記のような簡単な操作で文書表示装置に動きを与えるだけで、当該動き情報に対応付けられている文書情報の文書画像をサーバから取得して、画面表示することができる。
【００１７】
本発明の一態様である文書処理システム（図７の実施例参照）では、文書情報に基づく文書画像を画面に表示する文書表示装置と、文書情報を管理するサーバとを備え、文書表示装置はサーバから提供され文書情報に基づく文書画像を生成して画面表示する。この態様の文書処理システムでは、文書表示装置が、文書情報に基づいて文書を画面に表示している状態で自己に加えられた動きをセンサで検出して、検出した動き情報及び当該文書情報の識別情報をサーバに送信し、サーバが、文書表示装置から受信した動き情報を当該文書表示装置に画面表示されている文書の文書情報に対応付けて記憶する。
これによって、ユーザが上記のような簡単な操作で文書表示装置に動きを与えるだけで、当該動き情報と当該表示保持されている文書の識別情報とがサーバに送信され、サーバによって動き情報と識別情報に該当する文書情報とが対応付けて管理されるため、当該動き操作をキーとして文書情報を呼び出して、サーバから該当する文書情報を取得して文書画像を画面表示することが可能となる。
【００１８】
本発明の一態様である文書処理システム（図７の実施例参照）では、文書情報に基づく文書画像を画面に表示する文書表示装置と、文書情報を管理するサーバとを備え、文書表示装置はサーバから提供され文書情報に基づく文書画像を生成して画面表示する。この態様の文書処理システムでは、文書表示装置が、自己に加えられた動きをセンサで検出し、検出した動き情報をサーバに送信し、サーバが、文書情報に動き情報を対応付けた対応情報を参照して、文書表示装置から受信した動き情報に対応する文書情報を検索し、検索された文書情報を文書表示装置に送信し、文書表示装置が、サーバから受信した文書情報に基づいて文書を画面表示する。
これによって、ユーザが上記のような簡単な操作で文書表示装置に動きを与えるだけで、当該動き情報に対応付けられている文書情報をサーバから取得して、当該文書情報から生成した文書画像を画面表示することができる。
【００１９】
ここで、本発明では、動き情報に加えて、ユーザ情報入力手段から入力されたユーザ識別情報や、場所情報入力手段から入力された場所情報を、動き情報とともに文書情報に対応付けて記憶管理し、また、対応する文書を呼び出すためのキーとして用いるようにしてもよい。
これによって、例えば、文書表示装置に使用者であるユーザの識別情報がキー入力や指紋認証入力されることで、動き情報と当該ユーザ情報とをアンド条件のキーとして文書情報を管理し或いは呼び出すことができ、また、文書表示装置が存する場所の情報がキー入力やＧＰＳ等の取得入力されることで、動き情報と当該場所情報とをアンド条件のキーとして文書情報を管理し或いは呼び出すことができる。したがって、ユーザに応じた文書情報の管理や画面表示ができ、また、文書表示装置の使用場所に応じた文書情報の管理や画面表示ができる。
【発明の効果】
【００２０】
本発明によると、ユーザが文書を明示的に特定するテキスト情報（文書名、作成者、更新時間など）を入力操作する必要なしに、ユーザが文書表示体に加える動きに対応付けて文書情報の管理や呼出出力ができるため、ユーザの行為（振る、叩く、置くなど）による電子文書の直感的操作環境が実現できる。
【発明を実施するための最良の形態】
【００２１】
本発明を実施例に基づいて具体的に説明する。
図１乃至図５には、本発明を文書情報に基づいて画面に文書を表示する文書表示装置として構成した一実施例を示してある。
なお、本例の文書表示装置はコンピュータハードウエアを有する携帯型のコンピュータ装置（例えば、ＰＤＡのような表示画面を有するコンピュータ装置）で構成され、後述する本発明に係る機能（文書が画面に表示されている状態で文書表示装置に加えられた動きを検出して、当該動き情報を当該画面表示されている文書の文書情報に対応付けて記憶する機能、文書表示装置に加えられた動きを検出し、文書情報に対応付けられた動き情報を記憶した対応情報を参照して、検出された動き情報に対応する文書情報を文書情報記憶手段から検索する機能、検索された文書情報に基づいて画面に文書を表示する機能）は、本発明に係るプログラムをコンピュータハードウエアで実行することで構成されている。
【００２２】
ここで、文書表示装置として用いることができる装置の好ましい一例として、紙の様に薄型で柔軟性を有する装置である電子ペーパを説明する。
図９（ａ）には電子ペーパＥＰを正面視して示し、同図（ｂ）には当該電子ペーパＥＰを側面視で示してある。図示の電子ペーパＥＰは文書画像を表示保持する表示部２と電子データの処理を司る処理部３とを有しており、同図（ａ）には処理部３に内蔵されている諸機能部も表してある。
【００２３】
電子ペーパＥＰは、例えばＡ４版の用紙のような大きさのフレキシブルな薄型表示記録装置であり、大部分の面積を占める表示部２の一片に処理部３が設けられている。
なお、表示部２の大きさは用途に応じた大きさのものとされる。また、表示部２と処理部３とを着脱可能として、例えばクリップ形式の処理部３を表示部２に装着して接続することにより電子ペーパＥＰを構成するようにしてもよい。
【００２４】
処理部３には、表示部２を駆動するドライバ４、外部と無線通信するための無線部（通信手段）５、文書情報などの電子データを読み書き自在に保持するメモリ６、プログラムに従った所定の処理を行う制御部（ＣＰＵ）７、制御部７等の機能手段に動作電力を供給するバッテリ８、電子ペーパＥＰに加えられた動き（叩く、振るなど）を検知するセンサ９が設けられている。
なお、以下に説明する実施例の文書表示装置（電子ペーパ）では、ユーザからユーザ識別情報（ユーザＩＤ）や文書表示装置の存する位置情報を受け付けるための操作ボタンや、文書表示装置の存する位置情報をＧＰＳシステムやＰＨＳシステムから受信取得する手段が設けられる。
【００２５】
ここで、センサ９としては、検出しようとする動きの種類に応じて種々なものが用いられ、例えば、加速度センサを用いることで、電子ペーパＥＰ（文書表示装置）を叩いたときの強さや時間間隔を検出したり、電子ペーパＥＰ（文書表示装置）を移動させたり振ったときの強さを検出することができ、また、複数の加速度センサを３軸方向に配置すれば移動や振った方向も検出することができる。また、センサ９として、感圧センサを用いても電子ペーパＥＰ（文書表示装置）を叩いたときの強さを検出することができ、検出しようとする動きの種類に応じて公知のセンサを用いればよい。また、これらのセンサは電子ペーパＥＰが薄く軽量なペーパーライク形状になることを想定し、電力の供給や検出した信号を非接触で外部の送受信装置と交信できるＳＡＷデバイスなどを応用したパッシブワイヤレスセンサと組み合わせて用いることが好ましい態様である。
【００２６】
電子ペーパＥＰは、外部の無線装置（図示せず）と無線部５で無線通信することにより表示情報の文書情報（電子データ）を受信し、複数の文書情報をメモリ６に保持することができる。
なお、電子ペーパＥＰ（文書表示装置）でサーバと共に文書処理すステムを構成する場合には、電子ペーパＥＰにはサーバとの間で情報通信を行うために無線部（通信手段）５を設ける必要があるが、図１乃至図５に示すように電子ペーパＥＰ（文書表示装置）が自己で文書情報の管理や呼出表示の処理を完結する場合には、メモリ６に保持させる文書情報を外部から入力するインタフェース等を設ければ無線部（通信手段）５を省略することができる。
【００２７】
このような電子ペーパＥＰは、制御部７の制御の下にドライバ４を駆動して、メモリ６に保持した文書情報に基づいて表示部（画面）２に文書画像を表示することができ、ドライバ４の駆動電力を除去しても表示部２に文書画像を表示状態で保持し続ける機能を有している。
【００２８】
電子ペーパＥＰは、表示部２の動作原理を表す図１０に示すように、電極１３に電圧を印加していない状態（但し、電極１３は前回の駆動時の極性に帯電している）では、負（マイナス）に帯電した白色粒子１１は裏面側に溜まる一方、正（プラス）に帯電した黒色粒子１２は表面側に溜まり、表示部２を表面側から目視すると表示部２は黒色な状態となる。そして、電子データに基づいてドライバ４が動作して表示する情報画像に応じたマトリックスの所要部の電極極性を反転させると、白色粒子１１と黒色粒子１２との位置関係が入れ替わって、表示部２に白色粒子１１と黒色粒子１２とのコントラストによる画像情報が表示される。なお、異なる電子データに基づいてドライバ４を動作させることにより、白色粒子１１と黒色粒子１２とのコントラストにより表示部２に表示される画像情報を切り換えることができ、幾度も再使用することができる。
したがって、電子ペーパＥＰは、紙のように薄く柔軟である性質に加えて、表示部２に表示した画像情報を無電源保持する性質があるので、あたかも紙の如く用いることができる文書表示装置である。
【００２９】
図２には、電子ペーパＥＰ等を用いることで構成される文書処理装置２０の機能構成を示してある。
文書処理装置２０には、文書画像を表示する画面２１、それぞれ文書ＩＤで識別した複数の文書情報（電子文書データ）を保持する文書情報記憶手段２２、文書情報に基づいて文書画像を生成して画面２１に表示する表示処理手段２３、文書処理装置２０にユーザによって加えられた動き（物理的動作）を検出するための動きセンサ２４、ユーザからユーザ識別情報（ユーザＩＤ）を受け付けるためのユーザＩＤ入力操作ボタン２５、ユーザから文書処理装置２０の使用場所情報を受け付けるための場所情報操作ボタン２６、検出された動き情報及び入力されたユーザＩＤ及び場所情報を画面２１に表示されている文書画像の文書情報に対応付けて記憶する対応情報処理手段２７、対応情報処理手段２７の記憶情報を参照して、検出された動き情報及び入力されたユーザＩＤ及び場所情報に対応する文書情報を文書情報記憶手段２２から検索する検索手段２８を備えている。
【００３０】
なお、上記の例では、動き情報及びユーザＩＤ及び場所情報と文書情報との対応付けを文書ＩＤによって行っているが、動き情報及びユーザＩＤ及び場所情報と文書情報とを直接対応付けるようにしてもよい。
また、上記の例では、動き情報とユーザＩＤと場所情報とを用いているが、動き情報に加えてユーザＩＤと場所情報を用いない構成としてもよく、更には、用いる場合にはユーザＩＤと場所情報とのいずれか一方を用いる構成としてもよい。
【００３１】
図１には文書処理装置２０の動作概要を示してあり、図２とともに参照して、本例に係る文書処理装置２０の動作を説明する。
表示処理手段２３が文書情報記憶手段２２に保持されている文書情報に基づいて文書画像を生成することで、文書処理装置２０の画面２１に文書画像が表示される。
例えば、文書情報記憶手段２２に保持されている文書情報（電子文書データＡ）に基づく文書画像（文書Ａ）が画面２１に表示されている状態で、ユーザＵが文書表示装置２０に動き（物理的動作）を加えると、当該動きがセンサ２４により検出されて、検出された動き情報（例えば、加速度運動情報、姿勢情報等）が対応情報処理手段２７によって画面表示されている文書の文書情報（電子文書データＡ）に対応付けて記録される。
【００３２】
したがって、或る文書を画面２１に表示している状態でユーザが文書表示装置２０に動きを加えると、文書ＩＤを介して、対応情報処理手段２７によって文書情報記憶手段２２に保持されている当該文書の文書情報にセンサ２４で検出された動き情報が対応付けて記録される。
なお、ユーザＩＤや場所情報も用いる場合には、或る文書を画面２１に表示している状態でユーザＩＤや場所情報を入力すると、文書ＩＤを介して、文書情報記憶手段２２に保持されている当該文書の文書情報にユーザＩＤ入力手段２５や場所情報入力手段２６から入力されたユーザＩＤや場所情報が対応付けて記録される。
【００３３】
そして、上記のように動き情報（更には、ユーザＩＤや場所情報）と文書情報とが対応付けられた状態で、例えば記録モードから検索モードへスイッチ切替え等して、ユーザＵが文書表示装置２０に或る動き（物理的動作）を加えると、当該動きがセンサ２４により検出されて、検索手段２８が、対応情報処理手段２７の記録情報を参照して、検出された動き情報に対応する文書情報を文書情報記憶手段２２から検索し、表示処理手段２３検索された文書情報に基づいて画面２１に文書を表示する。
【００３４】
したがって、ユーザが文書表示装置２０に動きを加えると、当該動きと略同じ動き情報に対応付けられている文書情報が文書情報記憶手段２２から検索されて、当該文書画像が画面２１に表示される。すなわち、ユーザが動き情報の対応付け記録時と同様な動きを文書表示装置に加えるだけで、対応付け記録時に画面表示していた文書を再び画面２１に表示させることができる。
なお、ユーザＩＤや場所情報も用いる場合には、動作を加える際にユーザＩＤや場所情報を入力すると、文書情報記憶手段２２に保持されている該当する文書情報が検索されて文書が画面２１に表示される。このように動き情報に加えて、ユーザＩＤを用いる場合にはユーザ毎の文書管理を行うことができ、場所情報を用いる場合には社内や社外といったように場所毎の文書管理を行うことができる。
【００３５】
上記の動き情報について、図３乃至図５を参照して更に詳しく説明する。
ユーザＵが文書表示装置２０に加える動きとしては回転させるや振る等といった種々な態様が可能であるが、例えば、図３（ａ）に示すように文書表示装置２０を前後に振動させる、同図（ｂ）に示すように文書表示装置２０を机の上に軽く当てて振動を加える、同図（ｃ）に示すように文書表示装置２０をペンなどで叩いて振動を加えるといった方法が採用される。
【００３６】
例えば、文書表示装置２０をペンなどで３回叩いた場合、図４に示すように、３回の打撃を加速度センサ２４が検出して３つの打撃刺激ピークを含む波形情報を出力する。
このセンサ２４から出力された波形情報を動き情報として、対応情報処理手段２７が文書情報に対応付けて記録し、また、検索手段２８が該当する文書情報を検索するようにすることができる。
なお、記憶管理する情報量は少ない方が好ましいことから、センサ２４から出力された波形情報を量子化圧縮して動き情報として用いるのが好ましい。
【００３７】
更には、波形情報を動き情報とするのではなく、対応情報処理手段２７や検索手段２８が波形の特徴パラメータを抽出して、当該特徴パラメータを動き情報として用いるのが好ましい。例えば、図５に示すように、センサ２４から出力された加速度波形情報からピーク（ａ，ｂ）の大きさやピーク間間隔（ｔ1‐ｔ2）といった特徴パラメータを抽出して、当該特徴パラメータを動き情報として用いるのが好ましい。
ここで、実際には全く同じ動作を繰り返すことは困難であるので、対応付け記録時にユーザが加えた動きと、検索時にユーザが加えた動きとは、或る程度の誤差を許容した略同一であればよく、波形情報である場合には類似の幅を設定して検索時の同一性を判定すればよく、また、特徴パラメータである場合には同一とみなす値の幅を設定して検索時の同一性を判定すればよい。
【００３８】
図６には、本発明を、文書画像を画面に表示する文書表示装置３０と、文書情報を管理するサーバ４０とを備えた文書処理システムとして構成した一実施例を示してある。
なお、本実施例は、文書表示装置３０にかかる文書表示処理の負担を軽減させたシンクライアント方式であり、上記の電子ペーパＥＰのように大きな処理能力を発揮する構成を備えることが、却って、文書表示装置としての軽量化や柔軟性を損なってしまう場合に適用して好適なシステムである。
【００３９】
文書表示装置３０は、文書画像を表示する画面３１、サーバ４０との間で動き情報や文書画像情報等の通信を行う通信手段３９、サーバ４０から受信した文書画像を画面２１に表示する表示処理手段３３、文書処理装置３０にユーザによって加えられた動きを検出するための動きセンサ３４、ユーザからユーザＩＤを受け付けるためのユーザＩＤ入力操作ボタン３５、ユーザから文書処理装置２０の使用場所情報を受け付けるための場所情報操作ボタン３６を備えている。
【００４０】
サーバ４０は、文書表示装置３０との間で動き情報や文書画像情報等の通信を行う通信手段４９、それぞれ文書ＩＤで識別した複数の文書情報を保持する文書情報記憶手段４２、文書表示装置３０から受信した動き情報及びユーザＩＤ及び場所情報を文書情報記憶手段４２に記録されている該当する文書情報に文書ＩＤで対応付けて記録する対応情報処理手段４７、対応情報処理手段４７の記憶情報を参照して、受信した動き情報及びユーザＩＤ及び場所情報に対応する文書情報を文書情報記憶手段４２から検索し、当該文書情報から文書画像を生成して通信手段４９により文書表示装置３０へ送信する検索手段４８を備えている。
【００４１】
なお、上記の例では、動き情報及びユーザＩＤ及び場所情報と文書情報との対応付けを文書ＩＤによって行っているが、動き情報及びユーザＩＤ及び場所情報と文書情報とを直接対応付けるようにしてもよい。
また、文書表示装置３０やサーバ４０は、そのコンピュータハードウエアにより本発明に係るプログラムを実行することで、上記本発明の処理に必要な機能手段を構成することができる。
【００４２】
上記の文書処理システムでは、まず、ユーザがサーバ４０を操作する、ユーザが文書表示装置３０を操作して文書指定情報を含む要求をサーバ４０へ送信するなどといった方法で、文書表示装置３０がサーバ４０から或る文書画像データを受信し、表示処理手段３３が画面３１に文書画像を表示する。
すなわち、サーバ４０では、文書表示装置３０から受信した要求に応じて、検索手段４８が文書情報記憶手段４２から該当する文書情報を読み出して文書画像を生成し、通信手段４９が生成された文書画像を要求元の文書表示装置３０へ送信する。なお、対応情報処理手段４７は、文書表示装置３０へ送信した文書画像に対応する文書ＩＤを記録しておく。
【００４３】
このように文書画像（文書Ａ）が画面３１に表示されている状態で、ユーザＵが文書表示装置３０に動きを加えると、当該動きがセンサ３４により検出されて、検出された動き情報が通信手段３９によってサーバ４０へ送信される。
サーバ４０では、通信手段４９によって文書表示装置３０から動き情報を受信し、対応情報処理手段４７が先に記録した文書ＩＤ（すなわち、文書表示装置３０へ提供して画面表示されている文書Ａに対応する文書ＩＤ）と受信した動き情報とを対応付けて記録する。
【００４４】
したがって、或る文書を画面３１に表示している状態でユーザが文書表示装置３０に動きを加えると、サーバ４０において、対応情報処理手段４７が文書情報記憶手段４２に保持されている当該文書の文書情報にセンサ３４で検出された動き情報を対応付けて記録する。
なお、ユーザＩＤや場所情報も用いる場合には、或る文書を画面３１に表示している状態でユーザＩＤや場所情報を入力すると、これらユーザＩＤや場所情報がサーバに送信されて、文書情報記憶手段４２に保持されている当該文書の文書情報に対応付けて記録される。
【００４５】
そして、上記のように動き情報（更には、ユーザＩＤや場所情報）と文書情報とが対応付けられた状態で、ユーザＵが文書表示装置３０に或る動きを加えると、当該動きがセンサ３４により検出されて、通信手段３９によって検出された動き情報がサーバ４０へ送信される。
サーバ４０では、通信手段４９により動き情報を受信すると、検索手段４８が、対応情報処理手段４７の記録情報を参照して、受信した動き情報に対応する文書情報を文書情報記憶手段４２から検索し、検索した文書情報に基づいて文書画像を生成し、生成した文書画像を通信手段４９が送信元の文書表示装置３０へ送信する。
送信元の文書表示装置３０では、通信手段３９によってサーバから文書画像を受信し、表示処理手段３３が受信した文書画像を画面３１に表示する。
【００４６】
したがって、ユーザが文書表示装置３０に動きを加えると、当該動きと略同じ動き情報に対応付けられている文書情報がサーバ４０で検索されて、当該文書画像がサーバ４０から文書表示装置３０に提供され、画面３１に表示される。すなわち、ユーザが動き情報の対応付け記録時と同様な動きを文書表示装置３０に加えるだけで、対応付け記録時に画面表示していた文書を再び画面３１に表示させることができる。
なお、ユーザＩＤや場所情報も用いる場合には、動作を加える際にユーザＩＤや場所情報をユーザＩＤ入力手段３５や場所情報入力手段３６から入力すると、ユーザＩＤや場所情報が動き情報と同様にサーバ４０に送信されて、記録時においては、動き情報と同様に対応情報処理手段４７で該当する文書情報に対応付けて記録され、また、検索時においては、検索手段４８が対応する文書情報を検索して、当該文書画像が提供されて画面３１に表示される。
【００４７】
図７には、本発明を、文書画像を画面に表示する文書表示装置５０と、文書情報を管理するサーバ６０とを備えた文書処理システムとして構成した一実施例を示してある。
なお、本実施例は、文書表示装置５０に或る程度の文書表示処理能力をもたせた方式であり、文書表示装置５０が複数の文書情報を保持して画面５１に表示する文書画像を切替えることも可能となっている。
【００４８】
文書表示装置５０は、文書画像を表示する画面５１、サーバ６０との間で動き情報や文書情報等の通信を行う通信手段５９、サーバ６０から受信した文書情報に基づいて文書画像を生成して画面５１に表示する表示処理手段５３、文書処理装置５０にユーザによって加えられた動きを検出するための動きセンサ５４、ユーザからユーザＩＤを受け付けるためのユーザＩＤ入力操作ボタン５５、ユーザから文書処理装置４０の使用場所情報を受け付けるための場所情報操作ボタン５６を備えている。
【００４９】
サーバ６０は、文書表示装置５０との間で動き情報や文書情報等の通信を行う通信手段６９、それぞれ文書ＩＤで識別した複数の文書情報を保持する文書情報記憶手段６２、文書表示装置５０から受信した動き情報及びユーザＩＤ及び場所情報を文書情報記憶手段６２に記録されている該当する文書情報に文書ＩＤで対応付けて記録する対応情報処理手段６７、対応情報処理手段６７の記憶情報を参照して、受信した動き情報及びユーザＩＤ及び場所情報に対応する文書情報を文書情報記憶手段６２から検索して通信手段６９により文書表示装置５０へ送信する検索手段６８を備えている。
【００５０】
なお、上記の例では、動き情報及びユーザＩＤ及び場所情報と文書情報との対応付けを文書ＩＤによって行っているが、動き情報及びユーザＩＤ及び場所情報と文書情報とを直接対応付けるようにしてもよい。
また、文書表示装置５０やサーバ６０は、そのコンピュータハードウエアにより本発明に係るプログラムを実行することで、上記本発明の処理に必要な機能手段を構成することができる。
【００５１】
上記の文書処理システムでは、まず、ユーザがサーバ６０を操作する、ユーザが文書表示装置５０を操作して文書指定情報を含む要求をサーバ６０へ送信するなどといった方法で、文書表示装置５０がサーバ６０から文書ＩＤが付属した１つ又は複数の文書情報を受信し、表示処理手段５３が、これら文書情報を保持し、いずれかの文書情報に基づく文書画像を生成して画面５１に表示する。
すなわち、サーバ６０では、文書表示装置５０から受信した要求に応じて、検索手段６８が文書情報記憶手段６２から該当する文書情報及び文書ＩＤを読み出し、通信手段６９が読み出された文書情報及び文書ＩＤを要求元の文書表示装置５０へ送信する。
【００５２】
このように文書画像（文書Ａ）が画面５１に表示されている状態で、ユーザＵが文書表示装置５０に動きを加えると、当該動きがセンサ５４により検出されて、検出された動き情報と当該画面表示されている文書の文書ＩＤとが通信手段５９によってサーバ６０へ送信される。
サーバ６０では、通信手段６９によって文書表示装置５０から動き情報及び文書ＩＤを受信し、対応情報処理手段６７が受信した文書ＩＤ（すなわち、文書表示装置５０へ提供した文書Ａに対応する文書ＩＤ）と受信した動き情報とを対応付けて記録する。
【００５３】
したがって、或る文書を画面５１に表示している状態でユーザが文書表示装置５０に動きを加えると、サーバ６０において、対応情報処理手段６７が文書情報記憶手段６２に保持されている当該文書の文書情報にセンサ５４で検出された動き情報を対応付けて記録する。
なお、ユーザＩＤや場所情報も用いる場合には、或る文書を画面５１に表示している状態でユーザＩＤや場所情報を入力すると、これらユーザＩＤや場所情報がサーバに送信されて、文書情報記憶手段６２に保持されている当該文書の文書情報に対応付けて記録される。
【００５４】
そして、上記のように動き情報（更には、ユーザＩＤや場所情報）と文書情報とが対応付けられた状態で、ユーザＵが文書表示装置５０に或る動きを加えると、当該動きがセンサ５４により検出されて、通信手段５９によって検出された動き情報がサーバ６０へ送信される。
サーバ６０では、通信手段６９により動き情報を受信すると、検索手段６８が、対応情報処理手段６７の記録情報を参照して、受信した動き情報に対応する文書情報を文書情報記憶手段６２から検索し、検索した文書情報を通信手段６９が送信元の文書表示装置５０へ送信する。
送信元の文書表示装置５０では、通信手段５９によってサーバから文書情報を受信し、表示処理手段５３が受信した文書情報に基づく文書画像を画面５１に表示する。
【００５５】
したがって、ユーザが文書表示装置５０に動きを加えると、当該動きと略同じ動き情報に対応付けられている文書情報がサーバ６０で検索されて、当該文書情報がサーバ６０から文書表示装置５０に提供され、画面５１に表示される。すなわち、ユーザが動き情報の対応付け記録時と同様な動きを文書表示装置５０に加えるだけで、対応付け記録時に画面表示していた文書を再び画面５１に表示させることができる。
なお、ユーザＩＤや場所情報も用いる場合には、動作を加える際にユーザＩＤや場所情報をユーザＩＤ入力手段５５や場所情報入力手段５６から入力すると、ユーザＩＤや場所情報が動き情報と同様にサーバ６０に送信されて、記録時においては、動き情報と同様に対応情報処理手段６７で該当する文書情報に対応付けて記録され、また、検索時においては、検索手段６８が対応する文書情報を検索して、当該文書情報が提供されて画面５１に表示される。
【００５６】
図８には、本発明を、文書画像を表示保持する文書表示体７０と、文書情報を管理するサーバ８０と、文書表示体７０に加えられた動きを検出するセンサ装置９０とを備えた文書処理システムとして構成した一実施例を示してある。
なお、本実施例は、文書表示体７０として上記のような文書表示装置の他、文書画像を印刷した印刷物も用いることができ、例えば、印刷物７０にユーザが加えた動きをセンサ装置９０が検出して該当する文書情報へ対応付け記録したり、センサ装置９０が検出した動きに対応する文書情報に基づいてサーバ８０が該当する文書を印刷出力することもできる。
【００５７】
サーバ８０は、センサ装置９０（更には、上記のような文書表示装置で構成した文書表示体）との間で動き情報や文書情報等の通信を行う通信手段８９、それぞれ文書ＩＤで識別した複数の文書情報を保持する文書情報記憶手段８２、センサ装置９０から受信した動き情報を文書情報記憶手段８２に記録されている該当する文書情報に文書ＩＤで対応付けて記録する対応情報処理手段８７、対応情報処理手段８７の記憶情報を参照して受信した動き情報に対応する文書情報を文書情報記憶手段８２から検索する検索手段８８、検索された文書情報に基づいて文書を印刷出力する印刷手段８１を備えている。
なお、上記のような文書表示装置で構成した文書表示体に対しては、検索された文書情報を通信手段６９により送信する。
【００５８】
センサ装置９０は、文書処理体７０にユーザによって加えられた動きを検出するための動きセンサ９４、検出した動き情報をサーバ８０へ送信する通信手段９９を備えている。
ここで、本例の動きセンサ９４は文書処理体７０を撮影するビデオカメラで構成されており、センサ装置９０は撮影されたビデオ画像を解析して得た動き情報をサーバ８０へ送信する。
なお、上記の文書表示装置は、印刷物の文書画像の表示保持機能と、センサ装置９０の動き検出機能とを併せ持った文書表示体ということもできる。
【００５９】
上記の文書処理システムでは、まず、文書表示体７０に表示保持した文書画像の文書ＩＤをサーバ８０において把握しておき、文書画像が表示されている状態で、ユーザＵが文書表示体７０に動きを加え、センサ装置９０が当該文書表示体７０を撮影してその動き検出を検出し、検出された動き情報を通信手段９９によりサーバ８０へ送信する。
サーバ８０では、通信手段８９によってセンサ装置９０から動き情報を受信し、対応情報処理手段８７が受信した動き情報を該当する文書ＩＤ（すなわち、先に把握している文書ＩＤ）に対応付けて記録する。
【００６０】
したがって、或る文書を表示している文書表示体７０にユーザが動きを与えると、サーバ８０において、対応情報処理手段８７が文書情報記憶手段８２に保持されている当該文書の文書情報にセンサ装置９０で検出された動き情報を対応付けて記録する。
なお、ユーザＩＤや場所情報も用いる場合には、ユーザＩＤや場所情報を入力すると、これらユーザＩＤや場所情報がセンサ装置９０からサーバ８０に送信されて、文書情報記憶手段８２に保持されている当該文書の文書情報に対応付けて記録される。
【００６１】
そして、上記のように動き情報と文書情報とが対応付けられた状態で、ユーザＵが文書表示体７０に或る動きを加えると、当該動きがセンサ装置９０により検出されて、通信手段９９によって検出された動き情報がサーバ８０へ送信される。
サーバ８０では、通信手段８９により動き情報を受信すると、検索手段８８が、対応情報処理手段８７の記録情報を参照して、受信した動き情報に対応する文書情報を文書情報記憶手段８２から検索し、検索した文書情報を通信手段８９が送信元の文書表示体（文書表示装置）７０へ送信して画面表示させる、或いは、検索した文書情報に基づいて印刷手段８１が文書を印刷出力する。
【００６２】
したがって、ユーザが文書表示体７０に動きを加えると、当該動きと略同じ動き情報に対応付けられている文書情報がサーバ８０で検索されて、当該文書情報がサーバ８０から文書表示装置７０に提供されて画面に表示され、或いは、当該文書情報に基づく印刷物が出力される。すなわち、ユーザが動き情報の対応付け記録時と同様な動きを文書表示体７０に加えるだけで、対応付け記録時に表示していた文書を再び表示させることができる。
なお、ユーザＩＤや場所情報も用いる場合には、検索時においては、検索手段８８が対応する文書情報を検索する。
【００６３】
ここで、上記のように本発明によると、文書表示装置にユーザが加えた動きに応じて、対応する文書が再び表示されるが、動き情報の同一性の幅の設定等によっては、或る動きに対応して複数の文書が検索されることが考えられる。このような場合には、検索された複数の候補（文書情報、文書画像）を文書表示装置へ提供して、これら候補の文書をサムネイル画像として画面表示し、ユーザが選択できるようにすればよい。
【図面の簡単な説明】
【００６４】
【図１】本発明の一実施例に係る文書表示装置の動作を説明する図である。
【図２】本発明の一実施例に係る文書表示装置の機能構成を説明する図である。
【図３】文書表示装置に加える動きを説明する図である。
【図４】検出された動き情報を説明する図である。
【図５】検出された動き情報を説明する図である。
【図６】本発明の一実施例に係る文書処理システムの機能構成を説明する図である。
【図７】本発明の一実施例に係る文書処理システムの機能構成を説明する図である。
【図８】本発明の一実施例に係る文書処理システムの機能構成を説明する図である。
【図９】電子ペーパの一例を説明する図である。
【図１０】電子ペーパの一例を説明する断面図である。
【符号の説明】
【００６５】
２０、３０、  ５０：文書表示装置、
２１、３１、５１：画面、
２２、４２、６２、８２：文書情報記憶手段、
２３、３３、５３：表示処理手段、
２４、３４、５４：動きセンサ、
２５、３５、５５：ユーザＩＤ入力手段、
２６、３６、５６：場所情報入力手段、
２７、４７、６７、８７：対応情報処理手段、
２８、４８、６８、８８：検索手段、
４０、６０、８０：サーバ、
９０：センサ装置、
【図１】
2006302177.tif 000003
【図２】
2006302177.tif 000004
【図３】
2006302177.tif 000005
【図４】
2006302177.tif 000006
【図５】
2006302177.tif 000007
【図６】
2006302177.tif 000008
【図７】
2006302177.tif 000009
【図８】
2006302177.tif 000010
【図９】
2006302177.tif 000011
【図１０】
2006302177.tif 000012